(57)【特許請求の範囲】
【請求項１】
複数の異なるプロファイルを含む可能性のあるDVB-T2規格に準拠した信号を受信し、受信した信号のうち、最初に受信したプロファイルの信号、または、所定のプロファイルの信号のみを復調する
受信装置。
【請求項２】
複数の異なるプロファイルの種別の信号を含む可能性のあるDVB-T2規格に準拠した信号を受信する受信部と、
前記受信部により受信された信号を復調する復調部と、
前記受信部により受信された信号のうち、最初に受信されたプロファイルの種別の信号のみを前記復調部に供給する信号制御部と
を含む受信装置。
【請求項３】
前記信号は、自らを構成するプロファイルの種別を示すプロファイル情報を含み、
前記受信部により受信された信号を構成するプロファイルの種別を示すプロファイル情報を認識するプロファイル情報認識部をさらに含み、
前記信号制御部は、前記プロファイル情報に基づいて、前記プロファイル情報認識部により最初に認識されたプロファイルの信号のみを、最初に受信されたプロファイルの信号として復調部に供給する
請求項２に記載の受信装置。
【請求項４】
前記プロファイルの種別は、T2-Base、およびT2-Liteを含む
請求項２に記載の受信装置。
【請求項５】
前記復調部により復調された信号が正しく復調されたとき、前記信号のプロファイルの種別を登録する登録部をさらに含み、
前記信号制御部は、受信する信号の周波数毎に、受信した信号のうち、最初に受信したプロファイルの信号のみを復調部に供給し、
前記登録部は、前記復調部により信号が正しく復調されたプロファイルの種別を、前記周波数毎に登録する
請求項２に記載の受信装置。
【請求項６】
前記信号制御部は、前記登録部により前記プロファイルの種別が登録された後、受信する信号の周波数毎に、受信した信号のうち、最初に受信したプロファイルの種別とは異なるプロファイルの信号のみを前記復調部に供給する
請求項５に記載の受信装置。
【請求項７】
前記信号は、１種類のみのプロファイルの種別の信号から構成されるものであるか、または、２種類以上のプロファイルの種別の信号が混合して構成されるものであるかを示す混合信号を含み、
前記混合信号に基づいて、前記信号が１種類のみのプロファイルの種別の信号から構成されるものであるか、または、２種類以上のプロファイルの種別の信号が混合して構成されるものであるかを認識する混合認識部をさらに含み、
前記信号制御部は、前記登録部により前記プロファイルが登録された後、前記混合信号に基づいて、前記混合認識部により前記信号が２種類以上のプロファイルの種別の信号が混合して構成されているものであると認識されたとき、受信する信号の周波数毎に、受信した信号のうち、最初に受信したプロファイルとは異なるプロファイルの種別の信号のみを前記復調部に供給する
請求項６に記載の受信装置。
【請求項８】
前記登録部に登録された周波数毎のプロファイルの情報のうち、所定の周波数における所定のプロファイルの種別の信号が、前記プロファイル情報認識部により認識されない状態が所定回数継続した場合、前記信号制御部は、前記所定のプロファイルとは異なるプロファイルの信号のみを復調部に供給し、その後、前記プロファイル情報認識部により認識されない状態が所定回数継続したとき、さらに異なるプロファイルの信号のみを復調部に供給する
請求項５に記載の受信装置。
【請求項９】
複数の異なるプロファイルの種別の信号を含む可能性のあるDVB-T2規格に準拠した信号を受信する受信処理と、
前記受信処理により受信された信号を復調する復調処理と、
前記受信処理により受信された信号のうち、最初に受信されたプロファイルの種別の信号のみを前記復調処理するようにさせる信号制御処理と
をするステップを含む受信方法。
【請求項１０】
複数の異なるプロファイルの種別の信号を含む可能性のあるDVB-T2規格に準拠した信号を受信する受信ステップと、
前記受信ステップの処理により受信された信号を復調する復調ステップと、
前記受信ステップの処理により受信された信号のうち、最初に受信されたプロファイルの種別の信号のみを前記復調ステップの処理させるようにする信号制御ステップと
を含む処理をコンピュータに実行させるためのプログラム。
【発明の詳細な説明】
【技術分野】
【０００１】
本技術は、受信装置および受信方法、並びにプログラムに関し、特に、DVB-T2規格における信号を受信するに当たり、チャンネルスキャンおよび選局を効率よく、高速で実現できるようにした受信装置および受信方法、並びにプログラムに関する。
【背景技術】
【０００２】
欧州地上波デジタル放送規格DVB-T（Digital Video Broadcasting for Terrestrial）という地上デジタル放送規格が設けられている。このDVB-Tは、欧州をはじめ世界各国で採用されている地上デジタル放送規格である。
【０００３】
このDVB-Tの規格に応じて受信装置、および送信装置が設計されて、商品化されてきた。
【０００４】
しかしながら、このほど、このDVB-Tを改良したDVB-T2（Digital Video Broadcasting  Terrestrial 2）が実用化され、2009年12月に英国で最初に放送が開始されている（非特許文献１参照）。DVB-T2は、上述したDVB-Tを改良した新規格であり、DVB-Tと比較して大幅に伝送容量を増加させ、帯域を有効利用することが可能な構成とされており、より高品位なHD（High Definition）放送を実現するものである。
【先行技術文献】
【特許文献】
【０００５】
【非特許文献１】Digital Video Broadcasting (DVB); Implementation guidelines for a second generation digital terrestrial television broadcasting system (DVB-T2)
【発明の概要】
【発明が解決しようとする課題】
【０００６】
ところで、このDVB-T2は、さらに進化を遂げて、Version1.3.1以降においては、放送信号に、これまでも使用されてきたプロファイルであるT2-Baseに加えて、モバイル向けのプロファイルであるT2-Liteを多重化して送信できるようになった。
【０００７】
これにより、Version1.2.1までのDVB-T2では、周波数帯域毎に一旦プロファイルが特定されると、どの時間帯においても同じ帯域で同一のプロファイルが送信される構成となっていたが、Version1.3.1以降においては、各周波数帯域について、時間帯毎にプロファイルが変化する構成となっている。
【０００８】
このため、DVB-T2により送信される信号の受信チャンネルをスキャンしようとすると、従来のプロファイルであるT2-Baseに加えて、新たなモバイル用のプロファイルであるT2-Liteを全チャンネルに対してスキャンする必要があり、チャンネルの検索に、単純に倍の時間が必要とされてしまう恐れがあった。また、チャンネル毎に、先にスキャンするプロファイルを特定すると、スキャン処理を高速にしようとするとき煩雑な設定が必要になる恐れがあった。
【０００９】
本技術はこのような状況に鑑みてなされたものであり、特に、DVB-T2における従来のプロファイルであるT2-Baseと、新たなモバイル用のプロファイルであるT2-Liteとを含む全チャンネルを効率よく、高速でスキャンできるようにすると共に、スキャン後のチャンネルを効率よく選局できるようにするものである。
【課題を解決するための手段】
【００１０】
本技術の第１の側面の受信装置は、複数の異なるプロファイルを含む可能性のあるDVB-T2規格に準拠した信号を受信し、受信した信号のうち、最初に受信したプロファイルの信号、または、所定のプロファイルの信号のみを復調する。
【００１１】
本技術の第２の側面の受信装置は、複数の異なるプロファイルの種別の信号を含む可能性のあるDVB-T2規格に準拠した信号を受信する受信部と、前記受信部により受信された信号を復調する復調部と、前記受信部により受信された信号のうち、最初に受信されたプロファイルの種別の信号のみを前記復調部に供給する信号制御部とを含む。
【００１２】
前記信号には、自らを構成するプロファイルの種別を示すプロファイル情報を含ませるようにすることができ、前記受信部により受信された信号を構成するプロファイルの種別を示すプロファイル情報を認識するプロファイル情報認識部をさらに含ませるようにすることができ、前記信号制御部には、前記プロファイル情報に基づいて、前記プロファイル情報認識部により最初に認識されたプロファイルの信号のみを、最初に受信されたプロファイルの信号として復調部に供給させるようにすることができる。
【００１３】
前記プロファイルの種別には、T2-Base、およびT2-Liteを含ませるようにすることができる。
【００１４】
前記復調部により復調された信号が正しく復調されたとき、前記信号のプロファイルの種別を登録する登録部をさらに含ませるようにすることができ、前記信号制御部には、受信する信号の周波数毎に、受信した信号のうち、最初に受信したプロファイルの信号のみを復調部に供給させ、前記登録部には、前記復調部により信号が正しく復調されたプロファイルの種別を、前記周波数毎に登録させるようにすることができる。
【００１５】
前記信号制御部には、前記登録部により前記プロファイルの種別が登録された後、受信する信号の周波数毎に、受信した信号のうち、最初に受信したプロファイルの種別とは異なるプロファイルの信号のみを前記復調部に供給させるようにすることができる。
【００１６】
前記信号には、１種類のみのプロファイルの種別の信号から構成されるものであるか、または、２種類以上のプロファイルの種別の信号が混合して構成されるものであるかを示す混合信号を含ませるようにすることができ、前記混合信号に基づいて、前記信号が１種類のみのプロファイルの種別の信号から構成されるものであるか、または、２種類以上のプロファイルの種別の信号が混合して構成されるものであるかを認識する混合認識部をさらに含ませるようにすることができ、前記信号制御部には、前記登録部により前記プロファイルが登録された後、前記混合信号に基づいて、前記混合認識部により前記信号が２種類以上のプロファイルの種別の信号が混合して構成されているものであると認識されたとき、受信する信号の周波数毎に、受信した信号のうち、最初に受信したプロファイルとは異なるプロファイルの種別の信号のみを前記復調部に供給させるようにすることができる。
【００１７】
前記登録部に登録された周波数毎のプロファイルの情報のうち、所定の周波数における所定のプロファイルの種別の信号が、前記プロファイル情報認識部により認識されない状態が所定回数継続した場合、前記信号制御部には、前記所定のプロファイルとは異なるプロファイルの信号のみを復調部に供給させ、その後、前記プロファイル情報認識部により認識されない状態が所定回数継続したとき、さらに異なるプロファイルの信号のみを復調部に供給させるようにすることができる。
【００１８】
本技術の第２の側面の受信方法は、複数の異なるプロファイルの種別の信号を含む可能性のあるDVB-T2規格に準拠した信号を受信する受信処理と、前記受信処理により受信された信号を復調する復調処理と、前記受信処理により受信された信号のうち、最初に受信されたプロファイルの種別の信号のみを前記復調処理するようにさせる信号制御処理とをするステップを含む。
【００１９】
本技術の第２の側面のプログラムは、複数の異なるプロファイルの種別の信号を含む可能性のあるDVB-T2規格に準拠した信号を受信する受信ステップと、前記受信ステップの処理により受信された信号を復調する復調ステップと、前記受信ステップの処理により受信された信号のうち、最初に受信されたプロファイルの種別の信号のみを前記復調ステップの処理させるようにする信号制御ステップとを含む処理をコンピュータに実行させる。
【００２０】
本技術の第１の側面においては、複数の異なるプロファイルを含む可能性のあるDVB-T2規格に準拠した信号が受信され、受信された信号のうち、最初に受信されたプロファイルの信号、または、所定のプロファイルの信号のみが復調される。
【００２１】
本技術の第２の側面においては、複数の異なるプロファイルの種別の信号を含む可能性のあるDVB-T2規格に準拠した信号が受信され、受信された信号が復調され、受信された信号のうち、最初に受信されたプロファイルの種別の信号のみが前記復調されるように供給される。
【００２２】
本技術の受信装置は、独立した装置または機器であっても良いし、受信処理を行うブロックであっても良い。
【発明の効果】
【００２３】
本技術の一側面によれば、DVB-T2規格における信号を受信するに当たり、チャンネルスキャン、およびチャンネルの選局を効率よく、高速で実現させることが可能となる。
【図面の簡単な説明】
【００２４】
【図１】本技術を適用した受信装置の第１の実施の形態の構成例を示すブロック図である。
【図２】T2フレームの構成例を説明する図である。
【図３】S1 fieldの割り当てを説明する図である。
【図４】S2 field2の割り当てを説明する図である。
【図５】放送信号の周波数帯域および時間方向の割り当てを説明する図である。
【図６】放送信号のユースケースを説明する図である。
【図７】図１の受信装置によるスキャン処理を説明するフローチャートである。
【図８】本技術を適用した受信装置の第２の実施の形態の構成例を示すブロック図である。
【図９】図８の受信装置によるスキャン処理を説明するフローチャートである。
【図１０】第１受信モード処理を説明するフローチャートである。
【図１１】第２受信モード処理を説明するフローチャートである。
【図１２】選局処理（第３受信モード処理）を説明するフローチャートである。
【図１３】汎用のパーソナルコンピュータの構成例を説明する図である。
【発明を実施するための最良の形態】
【００２５】
以下、発明を実施するための形態（以下、実施の形態という）について説明する。なお、説明は以下の順序で行う。
１．  第１の実施の形態（チャンネルスキャンにあたり、一方のプロファイルを受信した後は、他方のプロファイルが含まれているときのみ、他方のプロファイルをスキャンする一例）
２．  第２の実施の形態（３種類の受信モード処理を設定し、これらを組み合わせて利用することによりチャンネルスキャンおよびチャンネルの選局を実現する場合の一例）
【００２６】
＜第１の実施の形態＞
［受信装置の第１の実施の形態の構成例］
図１は、本技術を適用した受信装置の第１の実施の形態の構成例を示している。図１の受信装置は、DVB-T2の放送規格に準拠した放送信号を受信するものである。
【００２７】
図１の受信装置は、アンテナ１１、チューナ１２、BPF（Band Pass Filter）１３、ADC（Analogue Digital Converter）１４、直交復調部１５、P1検出部１６、送出部１７、およびOFDM（Orthogonal Frequency Division Multiplexing）復調部１８を備えている。また、図１の受信装置は、誤り訂正復号部１９、波形整形部２０、P1解釈部２１、ドライバ２２、およびスキャン結果記憶部２３を備えている。
【００２８】
チューナ１２は、乗算器３１、および発振部３２より構成されており、アンテナ１１によりRF（Radio Frequency）信号として受信された受信波に、発振部３２により発振された中間周波信号を乗算することにより、IF（Intermediate Frequency）信号に周波数変換してBPF１３に出力する。
【００２９】
BPF１３は、入力されたIF信号に対して、所定の帯域範囲信号のみを透過させるようにフィルタリング処理を施し、フィルタリング結果をADC１４に供給する。
【００３０】
ADC１４は、入力された信号をアナログ信号からデジタル信号に変換して直交復調部１５に供給する。
【００３１】
直交復調部１５は、ADC１４よりデジタル信号に変換されたIF信号を所定の周波数（搬送波周波数）のキャリア信号を用いて直交復調し、ベースバンド信号をP1検出部１６、および送出部１７に出力する。
【００３２】
P1検出部１６は、ベースバンド信号のヘッダ部に設けられたP1シンボル（以下、単にP1とも称する）の情報を検出し、P1認識部２１に供給する。また、P1検出部１６は、P1認識部２１、またはドライバ２２からの指示に従って、送出部１７が供給されてくる放送信号を後段に送出するか否かを指令する。尚、ベースバンド信号からなるDVB-T2の信号の構成については、図２を参照して詳細を後述する。
【００３３】
送出部１７は、P1検出部１６からの指示に従って、送出が指示されたタイミングにおいては、直交復調部１５より供給されてくる信号をOFDM復調部１８に同期を取った状態で供給する。また、送出部１７は、P1検出部１６から送出停止が指示された場合、直交復調部１５より供給されてくる信号をOFDM復調部１８に送出せず、そのまま破棄する。
【００３４】
OFDM復調部１８は、送出部１７より供給されてくる信号に対してFFT（Fast Fourier Transform）を掛けると共に等化処理を施して、誤り訂正復号部１９に供給する。
【００３５】
誤り訂正復号部１９は、供給されてくる符号化信号を、誤り訂正復号し、復号結果を波形整形部２０に出力する。
【００３６】
波形整形部２０は、復号結果となる信号を波形整形してTS（Transport Stream）として後段に出力すると共に、復号結果であるTSをドライバにフィードバックする。
【００３７】
P1解釈部２１は、P1検出部１６より供給されてくるP1シンボルの情報に基づいて、P1シンボルの情報を解釈し、解釈結果をP1検出部１６およびドライバ２２に供給する。
【００３８】
ドライバ２２は、P1解釈部２１より供給されてくるP1シンボルの解釈結果に基づいてP1検出部１６に対して、送出部１７に対する動作を指示すると共に、スキャンされたチャンネルのうち、番組が存在する周波数として検出されたチャンネルをスキャン結果記憶部２３に記憶させる。さらに、ドライバ２２は、図示せぬ操作部の操作内容に応じて、スキャン結果記憶部２３に記憶されたチャンネルのいずれかが指定されると、指定されたチャンネルの周波数を選局するようにチューナ１２を制御する。
【００３９】
また、ドライバ２２は、チューナ制御部４１、プロファイル切替部４２、TSロック確認部４３、およびS1認識部４４を備えている。チューナ制御部４１は、チューナ１２の発振部３２の発振周波数を制御して、チューナ１２により受信される信号のチャンネルを制御する。プロファイル切替部４２は、P1解釈部２１より供給されてくるP1シンボルに含まれる信号のプロファイルの情報に基づいて、P1検出部１６より送出部１７に送出を指令するプロファイルを切り替えさせる。TSロック確認部４３は、波形整形部２０よりフィードバックされるTSを確認し、正しい画像として出力されているか否かを判定し、正しい画像として出力されているとき、TSがロックされた状態であるものとみなす。S1認識部４４は、P1解釈部２１より供給されてくるP1シンボルに含まれるS1 fieldにより示される今現在の信号のプロファイルを認識する。
【００４０】
［T2フレームの構造］
次に、図２を参照して、放送波として送信されてくる信号の構造であるT2フレームの構造について説明する。
【００４１】
T2フレームは、プロファイルにより２種類のフレームに分類される。T2フレームのプロファイルは、図２の最上段で示されるように、固定型のテレビジョン受像機などに代表される受信機を対象としたT2-Base frameと、モバイル機器などに代表される受信機を対象としたT2-Lite frameとが設定されている。
【００４２】
T2フレームの構造は、プロファイルの種別に寄らず共通の構造とされており、図２の２段目で示されるように、図中の左から（最上位ビットから）、P1シンボル、P2シンボル、および、データシンボル（Data Symbols）より構成されている。
【００４３】
このうち、P1シンボルは、図２の３段目で示されるように、７ビットからなるP1 signallingより構成されている。さらに、P1 signallingは、３ビットのS1 field、３ビットのS2 field1、および１ビットのS2 field2から構成されている。
【００４４】
S1 fieldは、T2フレームの信号のプロファイルを示しており、図３で示されるように、3ビットの信号として０００の場合、プロファイルがT2-BaseであるT2_SISO（Single Input Single Output）を示しており、また、S1 fieldが００１の場合、プロファイルがT2-BaseであるT2_MISO（Multi Input Single Output）を示している。尚、以降においては、S1 fieldが０００および００１の場合、いずれにおいてもT2-Baseであるものとする。また、S1 fieldは、０１０である場合、プロファイルが、FEF（Future Extension Frame）と呼ばれるサービス拡張用フレームであることを示している。
【００４５】
また、S1 fieldが０１１である場合、プロファイルがT2-LiteであるT2_LITE_SISO（Single Input Single Output）を示しており、また、S1 fieldが１００の場合、プロファイルがT2-LiteであるT2_LITE_MISO（Multi Input Single Output）を示している。また、S1 fieldが残りの１０１，１１０，１１１である場合、いずれもReserved for future use、すなわち、将来の規格変更に対応できるように予約されている。
【００４６】
さらに、S2 field1は、FFTサイズおよびガードインターバルの情報が記録される。S2 field2は、プロファイルが同一のものからのみ構成されているか否かを示すものであり、図４の上段で示されるように、０の場合、同一帯域の信号が、同一のプロファイルの信号のみから構成されている（Not mixed）ことを示している。また、図４の下段で示されるように、S2 field2は、１の場合、同一帯域の信号が、同一ではない複数のプロファイルの信号から構成されている（Mixed）ことを示している。尚、以降においては、S1 fieldについては、単にS1とも称するものとし、同様に、S2 field2については、単にS2とも称するものとする。
【００４７】
すなわち、従来のDVB-Tにおいては、図５の上段で示されるように、各帯域については、どの時間帯においても同一のプロファイルの信号が送信される構成となっていた。尚、図５の上段においては、図中水平方向に周波数帯域（frequency）が設定され、図中奥手方向に対しては時間（time）が設定され、図中上方向に対して受信レベル（power）が示されている。すなわち、図５の上段においては、左の帯域からプロファイルがDVB-T2（T2），DVB-T（T），DVB-T（T），DVB-T2（T2）であることが示されており、時間方向に変化しないことが示されている。
【００４８】
これに対して、本技術を適用するDVB-T2においては、周波数帯域方向に加えて、時間方向に対してもプロファイルが変化する。このため、図５の下段で示されるように、図中の最も左側の帯域、および最も右側の帯域については、それぞれ、いずれの時間帯においてもプロファイルはDVB-T2-Lite（T2L）およびDVB-T2-Base（T2B）として同一である。しかしながら、左から２番目の帯域においては、時刻ｔ０乃至ｔ２においては、プロファイルは、DVB-T2-Base（T2B）であるが、時刻ｔ２乃至ｔ５においてはDVB-T2-Lite（T2L）となり、さらに、時刻ｔ５以降においては、DVB-T2-Base（T2B）に変化していることが示されている。同様に、右から２番目の帯域においては、時刻ｔ０乃至ｔ１においては、プロファイルがDVB-T2-Lite（T2L）であるが、時刻ｔ１乃至ｔ３においては、DVB-T2-Base（T2B）となり、時刻ｔ３乃至ｔ４においては、DVB-T2-Lite（T2L）、さらに、時刻ｔ４乃至ｔ６においては、DVB-T2-Base（T2B）となり、時刻ｔ５以降においては、DVB-T2-Lite（T2L）となっていることが示されている。
【００４９】
さらに、DVB-T2においては、プロファイルとして２種類のDVB-T2-Base（T2B）、およびDVB-T2-Lite（T2L）が含まれると共に、さらに、FEFが含まれることから、各帯域については、図６で示されるようなバリエーションが考えられる。
【００５０】
すなわち、図６の最上段で示されるように、DVB-T2-Base（T2-Base）のまま時間方向に変化しないもの、図６の上から２段目で示されるように、DVB-T2-Lite（T2-Lite）のまま時間方向に変化しないものが考えられる。また、図６の上から３段目で示されるように、DVB-T2-Base（T2-Base）およびDVB-T2-Lite（T2-Lite）が時間方向に変化して混合しているものが考えられる。同様に、上から４段目で示されるように、DVB-T2-Base（T2-Base）およびFEFが時間方向に変化して混合しているものが考えられる。さらに、図６の上から５段目で示されるように、FEFおよびDVB-T2-Lite（T2-Lite）が時間方向に変化して混合しているものが考えられる。そして、図６の最下段で示されるように、FEF、DVB-T2-Base（T2-Base）、およびDVB-T2-Lite（T2-Lite）が時間方向に変化して混合しているものが考えられる。
【００５１】
S2 field2で示される情報は、図６における最上段、および上から２段目で示されるように、プロファイルが時間方向に変化しない場合、混合されていないこと、すなわち、Not mixedを示す０となる。逆に、S2 field2で示される情報は、図６の上から４段目乃至最下段で示されるように時間方向に変化する場合、混合されていること、すなわち、Mixedを示す１となる。
【００５２】
このように、S1 field、およびS2 field2の情報に基づいて、これから供給される信号のプロファイル、および、プロファイルが混合しているか否かが認識されることにより、チャンネルスキャン、および選局処理を効率よく、高速にすることが可能となる。
【００５３】
［図１の受信装置によるスキャン処理］
次に、図７のフローチャートを参照して、図１の受信装置によるスキャン処理について説明する。
【００５４】
ステップＳ１１において、ドライバ２２のチューナ制御部４１は、チューナ１２を制御して、受信可能な周波数として最小値の周波数となるように設定し、アンテナ１１により受信される放送波をBPF１３に供給させる。
【００５５】
ステップＳ１２において、BPF１３は、チューナ１２により受信される信号にバンドパスフィルタ処理を施して、所定の周波数帯域のみを抽出し、ADC１４に出力する。
【００５６】
ステップＳ１３において、ADC１４は、BPF１３より供給されてくるアナログ信号をデジタル信号に変換して、直交復調部１５に供給する。
【００５７】
ステップＳ１４において、直交復調部１５は、デジタル信号に変換された信号に直交復調を施してP1検出部１６、および送出部１７に出力する。
【００５８】
ステップＳ１５において、P1検出部１６は、供給されてくる信号として、DVB-T2のフレームにおけるヘッダとなるP1（P1シンボル）が検出されたか否かを判定する。ステップＳ１５において、例えば、P1が検出されていないとみなされた場合、処理は、ステップＳ１２に戻る。すなわち、ヘッダであるP1が供給されてくるまで、ステップＳ１１乃至Ｓ１５の処理が繰り返される。ステップＳ１５において、例えば、P1が検出された場合、処理は、ステップＳ１６に進む。
【００５９】
ステップＳ１６において、P1検出部１６は、検出されたP1をP1解釈部２１に供給する。P1解釈部２１は、供給されてきたP1の情報を解釈し、解釈結果であるS1およびS2を含む情報をドライバ２２に供給する。ドライバ２２は、P1の解釈結果が供給されてくることにより、P1が検出されたことを認識すると共に、P1検出部１６に対してDVB-T2-Base（T2-Base）のみをOFDM復調部１８に供給するように指令を送る。この指令に応じて、P1検出部１６は、送出部１７を制御して、以降において、プロファイルがDVB-T2-Base（T2-Base）となる信号のみをOFDM復調部１８に送出させる。これにより、OFDM復調部１８は、順次送出部１７より供給されてくるDVB-T2-Base（T2-Base）のみを復調して誤り訂正復号部１９に供給する。
【００６０】
ステップＳ１７において、誤り訂正復号部１９は、供給されてきた信号に誤り訂正復号処理を施して、波形整形部２０に出力する。
【００６１】
ステップＳ１８において、波形整形部２０は、誤り訂正復号部１９より供給されてきた信号をTSとして出力すると共に、ドライバ２２に供給し、フィードバックを掛ける。
【００６２】
ステップＳ１９において、ドライバ２２は、TSロック確認部４３を制御して、フィードバックされたTSが正しく復号されているのか否かを判定し、判定結果からTSロックが掛かった状態となっているか否かを判定する。ステップＳ１９において、例えば、TSが正しく復号されたものであり、TSロックが掛かっていると見なされた場合、処理は、ステップＳ２０に進む。
【００６３】
ステップＳ２０において、ドライバ２２は、チューナ制御部４１を制御して、設定させた周波数帯域であって、今現在の時間帯においては、受信したプロファイルの信号が受信可能なチャンネルであるものとして、スキャン結果記憶部２３に記憶させる。
【００６４】
一方、ステップＳ１９において、TSロックが掛かった状態ではない、すなわち、TSが正しく復号されたものであるとは認められなかった場合、ステップＳ２０の処理がスキップされ、受信可能なチャンネルとして登録されない。すなわち、この場合、この周波数帯域には、処理対象プロファイルの信号が存在しなかったものとみなされて、視聴可能なチャンネルが存在しないものとされる。
【００６５】
ステップＳ２１において、ドライバ２２は、プロファイル切替部４２を制御して、未処理のプロファイルを処理対象プロファイルとして設定し、P1検出部１６に対して、送出部１７よりOFDM復調部１８に対して送出させるように指令する。すなわち、今の場合、ステップＳ１６乃至Ｓ２０においては、プロファイルとして、DVB-T2-Base（T2-Base）が処理されたので、未処理のプロファイルであるDVB-T2-Lite（T2-Lite）が処理対象プロファイルとして設定される。このため、以降においては、P1検出部１６は、P1のうち、プロファイルの情報を示すS1が、DVB-T2-Lite（T2-Lite）を示す場合、後段に信号を送出するように送出部１７を制御する。
【００６６】
ステップＳ２２において、ドライバ２２は、S1認識部４４を制御して、P1検出部１６がP1を検出することにより、P1の情報がP1解釈部２１に供給され、さらに、P1解釈部２１がP1を解釈し、解釈結果であるS1の情報がDVB-T2-Lite（T2-Lite）であるか否かを判定する。
【００６７】
ステップＳ２２において、例えば、解釈結果であるS1の情報がDVB-T2-Lite（T2-Lite）である場合、処理は、ステップＳ２３に進む。
【００６８】
ステップＳ２３において、ドライバ２２は、P1の解釈結果が供給されてくることにより、P1が検出されたことを認識すると共に、P1検出部１６に対してDVB-T2-Lite（T2-Lite）のみをOFDM復調部１８に供給するように指令を送る。この指令に応じて、P1検出部１６は、送出部１７を制御して、以降に供給されてくる信号のうち、プロファイルがDVB-T2-Lite（T2-Lite）となる信号のみをOFDM復調部１８に送出させる。これにより、OFDM復調部１８は、順次送出部１７より供給されてくるDVB-T2-Lite（T2-Lite）のみを復調して誤り訂正復号部１９に供給する。
【００６９】
ステップＳ２４において、誤り訂正復号部１９は、供給されてきた信号に誤り訂正復号処理を施して、波形整形部２０に出力する。
【００７０】
ステップＳ２５において、波形整形部２０は、誤り訂正復号部１９より供給されてきた信号をTSとして出力すると共に、ドライバ２２に供給し、フィードバックを掛ける。
【００７１】
ステップＳ２６において、ドライバ２２は、TSロック確認部４３を制御して、フィードバックされたTSが正しく復号されているのか否かを判定し、判定結果からTSロックが掛かった状態となっているか否かを判定する。ステップＳ２６において、例えば、TSが正しく復号されたものであり、TSロックが掛かっていると見なされた場合、処理は、ステップＳ２７に進む。
【００７２】
ステップＳ２７において、ドライバ２２は、チューナ制御部４１を制御して、設定させた周波数帯域であって、今現在の時間帯においては、今現在のプロファイルが受信可能なチャンネルであるものとして、スキャン結果記憶部２３に記憶させる。
【００７３】
一方、ステップＳ２６において、TSロックが掛かった状態ではない、すなわち、TSが正しく復号されたものであるとは認められなかった場合、ステップＳ２７の処理がスキップされる。
【００７４】
ステップＳ２８において、ドライバ２２は、未処理のプロファイルがあるか否かを判定する。今の場合、プロファイルは、DVB-T2-Base（T2-Base）およびDVB-T2-Lite（T2-Lite）の２種類であるから、未処理のプロファイルはないものとみなされ、処理は、ステップＳ２９に進む。
【００７５】
ステップＳ２９において、ドライバ２２は、周波数が最大値であるか否かを判定し、最大値ではない場合、処理は、ステップＳ３０に進む。
【００７６】
ステップＳ３０において、ドライバ２２は、周波数を所定値だけ大きくして、処理は、ステップＳ１２に戻る。すなわち、以上の処理により、周波数が最大値になるまで、ステップＳ１２乃至Ｓ３０の処理が繰り返される。そして、ステップＳ２９において、周波数が最大値であるとみなされた場合、処理は、終了する。
【００７７】
一方、ステップＳ２２において、例えば、解釈結果であるS1の情報がDVB-T2-Lite（T2-Lite）ではない場合、すなわち、この帯域に解釈結果であるS1の情報がDVB-T2-Lite（T2-Lite）となる信号がない場合、ステップＳ２３乃至Ｓ２７の処理がスキップされる。すなわち、この帯域においては、解釈結果であるS1の情報がDVB-T2-Lite（T2-Lite）となる信号がない場合、この帯域においては、解釈結果であるS1の情報がDVB-T2-Lite（T2-Lite）となる信号のスキャンがスキップされることになる。結果として、明らかに異なる複数のプロファイルが存在することが確認できない限り、複数のプロファイルでチャンネルスキャンがなされないので、処理を高速化することが可能となる。
【００７８】
また、ステップＳ２８において、現状のプロファイルに対し、例えば、新たなプロファイルDVB-T2-Xが追加されているような場合、未処理のプロファイルであるDVB-T2-Xが新たな処理対象プロファイルに設定されて、ステップＳ２２乃至Ｓ２７の処理が繰り返されることになる。すなわち、この処理により、新たなプロファイルが追加で設定されても、ステップＳ２２乃至Ｓ２７の処理が、追加されたプロファイルに対しても実行されるようになることで、対応することが可能となる。さらに、新たなプロファイルが追加された場合においても、ステップＳ２２において、この帯域に含まれていなければ、チャンネルスキャンがスキップされることになり、新たなプロファイルが追加されても、必要なときにだけチャンネルスキャンさせることが可能となり、プロファイルが追加されても、効率よく高速でチャンネルスキャンを実現することが可能となる。尚、以上においては、最初にDVB-T2-Baseのプロファイルのみを復調させ、その後、異なるプロファイルが受信されたときにのみ、異なるプロファイルとしてDVB-T2-Liteを復調させる例について説明してきたが、その順序は入れ替わるものであってもよい。
【００７９】
＜２．第２の実施の形態＞
［受信装置の第２の実施の形態の構成例］
以上においては、DVB-T2において規定される信号に設けられているプロファイルを識別する情報であるS1を利用して、効率よく、高速でチャンネルスキャンを実現できるようにする例について説明してきたが、複数の受信モードを設定し、複数の受信モードを切り替えることでチャンネルスキャンおよび選局を効率よく、高速に実現できるようにしてもよい。
【００８０】
図８は、複数の受信モードを設定し、複数の受信モードを切り替えることによりチャンネルスキャン、および選局を効率よく、高速で実現させる受信装置の第２の実施の形態の構成例を示している。尚、図８の受信装置において、図１の受信装置と同一の機能を備えた構成については、同一の名称、および同一の符号を付しており、その説明は適宜省略するものとする。すなわち、図８の受信装置において、図１の受信装置と異なる点は、ドライバ２２において、S2認識部５１、および受信モード切替部５２が設けられた点である。
【００８１】
S2認識部５１は、P1解釈部２１より供給されてくる解釈結果のうち、P1の情報に含まれているS2（S2 field2）の情報を認識する。すなわち、S2の情報は、図４を参照して説明したように、同一の周波数帯域に同一のプロファイルのみが送信されてくるか否かを識別する情報であり、同一のプロファイルのみが送信されてくる場合に０となり、複数のプロファイルが混合されて送信されてくる場合に１となる。
【００８２】
受信モード切替部５２は、P1解釈部２１より供給されてくる解釈結果である、プロファイルを示すS1の情報、および複数のプロファイルを含む信号であるか否かを示すS2に基づいて、第１受信モード乃至第３受信モードからなる３種類の受信モードを切り替えて、チャンネルのスキャン処理、および選局処理を実現する。より詳細には、第１受信モード乃至第３受信モードは、送出部１７よりOFDM復調部１８に送出する信号のプロファイルを規定して、受信モードを切り替えるものである。
【００８３】
すなわち、第１受信モードは、予め処理対象プロファイルを規定せず、最初に受信されたP1に含まれるS1で示されるプロファイルの信号を処理対象プロファイルに設定し、以降において、処理対象プロファイルがP1に含まれる信号のみを送出部１７からOFDM復調部１８に供給する受信モードである。
【００８４】
また、第２受信モードは、予め設定された処理対象プロファイルが、P1に含まれるS1で示されるプロファイルと一致する信号のみを送出部１７からOFDM復調部１８に供給する受信モードである。
【００８５】
さらに、第３受信モードは、予め設定された処理対象プロファイルが、P1に含まれるS1で示されるプロファイルと一致する信号のみを送出部１７からOFDM復調部１８に供給すると共に、その復調の結果であるTSがTSロックできない場合、処理対象プロファイルを、未処理のプロファイルに変更して同様の処理を繰り返す受信モードである。
【００８６】
受信モード切替部５２は、後述するスキャン処理、および選局処理において、これらの第１受信モードおよび第３受信モードを切り替えることにより、効率よく、高速で処理を実現させる。
【００８７】
［図８の受信装置によるスキャン処理］
次に、図９のフローチャートを参照して、図８の受信装置によるスキャン処理について説明する。
【００８８】
ステップＳ４１において、ドライバ２２のチューナ制御部４１は、チューナ１２を制御して、受信可能な周波数として最小値の周波数となるように設定し、アンテナ１１により受信される放送波をBPF１３に供給させる。
【００８９】
ステップＳ４２において、受信モード切替部５２は、受信モードを第１受信モードに設定し、第１受信モード処理を実行させる。
【００９０】
［第１受信モード処理］
ここで、図１０のフローチャートを参照して、第１受信モードについて説明する。
【００９１】
ステップＳ６１において、BPF１３は、チューナ１２により受信される信号にバンドパスフィルタ処理を施して、所定の周波数帯域のみを抽出し、ADC１４に出力する。
【００９２】
ステップＳ６２において、ADC１４は、BPF１３より供給されてくるアナログ信号をデジタル信号に変換して、直交復調部１５に供給する。
【００９３】
ステップＳ６３において、直交復調部１５は、デジタル信号に変換された信号に直交復調を施してP1検出部１６、および送出部１７に出力する。
【００９４】
ステップＳ６４において、P1検出部１６は、供給されてくる信号として、DVB-T2のフレームにおけるヘッダとなるP1が検出されたか否かを判定し、P1ではない、すなわち、P1が検出されていないとみなされた場合、処理は、ステップＳ６１に戻る。すなわち、ヘッダであるP1が供給されてくるまで、ステップＳ６１乃至Ｓ６４の処理が繰り返される。ステップＳ６４において、例えば、P1が検出された場合、処理は、ステップＳ６５に進む。
【００９５】
ステップＳ６５において、P1検出部１６は、検出されたP1をP1解釈部２１に供給する。P1解釈部２１は、供給されてきたP1の情報を解釈し、解釈結果であるS1およびS2を含む情報をドライバ２２に供給する。ドライバ２２は、S1認識部４４を制御して、P1の解釈結果が供給されてくることによりS1、すなわち、今受信されたP1のプロファイルを認識させる。
【００９６】
ステップＳ６６において、ドライバ２２は、S1認識部４４により認識されたS1の情報、すなわち、受信されたP1のプロファイルを処理対象プロファイルに設定する。
【００９７】
ステップＳ６７において、ドライバ２２は、プロファイル切替部４２を制御して、処理対象プロファイルの信号のみをOFDM復調部１８に供給するようにP1検出部１６に対して指令を送らせる。この指令に応じて、P1検出部１６は、送出部１７を制御して、以降に供給されてくる信号のうち、処理対象プロファイルの信号のみをOFDM復調部１８に送出させる。これにより、OFDM復調部１８は、順次送出部１７より供給されてくる処理対象プロファイルの信号のみを復調して誤り訂正復号部１９に供給する。
【００９８】
ステップＳ６８において、誤り訂正復号部１９は、供給されてきた信号に誤り訂正復号処理を施して、波形整形部２０に出力する。
【００９９】
ステップＳ６９において、波形整形部２０は、誤り訂正復号部１９より供給されてきた信号をTSとして出力すると共に、ドライバ２２に供給し、フィードバックを掛ける。
【０１００】
ステップＳ７０において、ドライバ２２は、TSロック確認部４３を制御して、フィードバックされたTSが正しく復号されているのか否かを判定し、判定結果からTSロックが掛かった状態となっているか否かを判定する。ステップＳ７０において、例えば、TSが正しく復号されたものであり、TSロックが掛かっていると見なされた場合、処理は、ステップＳ７１に進む。
【０１０１】
ステップＳ７１において、ドライバ２２は、チューナ制御部４１を制御して、設定させた周波数帯域であって、今現在の時間帯においては、今現在のプロファイルが受信可能なチャンネルであるものとして、スキャン結果記憶部２３に記憶させる。
【０１０２】
一方、ステップＳ７０において、TSロックが掛かった状態ではない、すなわち、TSが正しく復号されたものであるとは認められなかった場合、ステップＳ７１の処理がスキップされる。
【０１０３】
すなわち、以上の第１受信モード処理により、最初に受信したP1に含まれる、プロファイルの信号が復調されることになり、ここで、TSロックが確認されると、受信可能なチャンネルとしてスキャン結果記憶部２３に記憶される。この結果、最初の受信されたプロファイルからスキャンが開始されることになるので、特定のプロファイルを受信するまで、スキャンが開始されないといったことがなくなり、スキャン処理を効率よく、高速で実現することが可能となる。
【０１０４】
ここで、図９のフローチャートの説明に戻る。
【０１０５】
ステップＳ４３において、ドライバ２２は、S2認識部５１を制御して、P1解釈部２１より供給されてきたP1の解釈結果のうちS2を認識させ、S2が１、すなわち、複数のプロファイルが、処理対象となっている今の周波数帯域に含まれており、かつ、未処理のプロファイルが存在するか否かを判定する。ステップＳ４３において、例えば、最初に受信したP1に含まれるS1がDVB-T2-Baseである場合、S2が１であったとき、DVB-T2-Liteが未処理のプロファイルとなるので、ステップＳ４３においては、S2が１で、かつ、未処理のプロファイルが存在するものとみなされて、処理は、ステップＳ４４に進む。
【０１０６】
ステップＳ４４において、受信モード切替部５２は、受信モードを第２受信モードに切り替えて、第２受信モード処理を実行させる。
【０１０７】
［第２受信モード処理］
ここで、図１１のフローチャートを参照して、第２受信モード処理について説明する。
【０１０８】
ステップＳ９１において、ドライバ２２は、未処理のプロファイルのうちのいずれかを、処理対象プロファイルに設定する。すなわち、第１受信モード処理により、例えば、DVB-T2-Baseが処理対象プロファイルになっていた場合、DVB-T2-Liteが未処理のプロファイルとなるため、DVB-T2-Liteが処理対象プロファイルに設定されることになる。
【０１０９】
ステップＳ９２において、BPF１３は、チューナ１２により受信される信号にバンドパスフィルタ処理を施して、所定の周波数帯域のみを抽出し、ADC１４に出力する。
【０１１０】
ステップＳ９３において、ADC１４は、BPF１３より供給されてくるアナログ信号をデジタル信号に変換して、直交復調部１５に供給する。
【０１１１】
ステップＳ９４において、直交復調部１５は、デジタル信号に変換された信号に直交復調を施してP1検出部１６、および送出部１７に出力する。
【０１１２】
ステップＳ９５において、P1検出部１６は、供給されてくる信号として、DVB-T2のフレームにおけるヘッダとなるP1が検出されたか否かを判定し、P1ではない、すなわち、P1が検出されていないとみなされた場合、処理は、ステップＳ９２に戻る。すなわち、ヘッダであるP1が供給されてくるまで、ステップＳ９２乃至Ｓ９５の処理が繰り返される。ステップＳ９５において、例えば、P1が検出された場合、処理は、ステップＳ９６に進む。
【０１１３】
ステップＳ９６において、P1検出部１６は、検出されたP1をP1解釈部２１に供給する。P1解釈部２１は、供給されてきたP1の情報を解釈し、解釈結果であるS1およびS2を含む情報をドライバ２２に供給する。ドライバ２２は、P1の解釈結果が供給されてくることにより、P1が検出されたことを認識すると共に、P1検出部１６に対して処理対象プロファイルの信号のみを、OFDM復調部１８に供給するように指令を送る。この指令に応じて、P1検出部１６は、送出部１７を制御して、P1以降に供給されてくる信号をOFDM復調部１８に送出させる。これにより、OFDM復調部１８は、順次送出部１７より供給されてくる処理対象プロファイルの信号のみを復調して誤り訂正復号部１９に供給する。すなわち、今の場合、処理対象プロファイルとされているDVB-T2-Liteのみが順次復調される。
【０１１４】
ステップＳ９７において、誤り訂正復号部１９は、供給されてきた信号に誤り訂正復号処理を施して、波形整形部２０に出力する。
【０１１５】
ステップＳ９８において、波形整形部２０は、誤り訂正復号部１９より供給されてきた信号をTSとして出力すると共に、ドライバ２２に供給し、フィードバックを掛ける。
【０１１６】
ステップＳ９９において、ドライバ２２は、TSロック確認部４３を制御して、フィードバックされたTSが正しく復号されているのか否かを判定し、判定結果からTSロックが掛かった状態となっているか否かを判定する。ステップＳ９９において、例えば、TSが正しく復号されたものであり、TSロックが掛かっていると見なされた場合、処理は、ステップＳ１００に進む。
【０１１７】
ステップＳ１００において、ドライバ２２は、チューナ制御部４１を制御して、設定させた周波数帯域であって、今現在の時間帯においては、今現在のプロファイルが受信可能なチャンネルであるものとして、スキャン結果記憶部２３に記憶させる。
【０１１８】
一方、ステップＳ９９において、TSロックが掛かった状態ではない、すなわち、TSが正しく復号されたものであるとは認められなかった場合、ステップＳ１００の処理がスキップされる。
【０１１９】
以上の処理により、未処理のプロファイルの信号が復調されてスキャンされ、TSロックが確認されると、スキャン結果記憶部２３に視聴可能なチャンネルとして登録される。
【０１２０】
ここで、図９のフローチャートの説明に戻る。
【０１２１】
ステップＳ４４において、第２受信モード処理が実行されると、処理は、ステップＳ４３に戻る。
【０１２２】
再び、ステップＳ４３において、ドライバ２２は、S2認識部５１を制御して、P1解釈部２１より供給されてきたP1の解釈結果のうちS2を認識させ、S2が１、すなわち、複数のプロファイルが、処理対象となっている今の周波数帯域に含まれており、かつ、未処理のプロファイルが存在するか否かを判定する。今の場合、ここで設定されるプロファイルであるDVB-T2-Base、およびDVB-T2-Liteのスキャンが実行されているので、未処理のプロファイルが存在しないことになる。このため、処理は、ステップＳ４５に進む。
【０１２３】
尚、将来的に、プロファイルが増えて、例えば、DVB-T2-Xという新たなプロファイルが増設されているような場合、再び処理は、ステップＳ４４に戻り、処理対象プロファイルにDVB-T2-Xが設定されて、第２受信モード処理がなされることになる。その後、未処理のプロファイルが存在しないことになるので、やはり、処理は、ステップＳ４５に進む。
【０１２４】
ステップＳ４５において、ドライバ２２は、周波数が最大値であるか否かを判定し、最大値ではない場合、処理は、ステップＳ４６に進む。
【０１２５】
ステップＳ４６において、ドライバ２２は、周波数を所定値だけ大きくして、処理は、ステップＳ４２に戻る。すなわち、以上の処理により、周波数が最大値になるまで、ステップＳ４２乃至Ｓ４６の処理が繰り返される。そして、ステップＳ４５において、周波数が最大値であるとみなされた場合、処理は終了する。
【０１２６】
以上のように、第１受信モード処理、および第２受信モード処理を組み合わせて処理することにより、最初に処理対象プロファイルを設定する必要がなくなるので、スキャン処理を簡素化することが可能となる。また、複数のプロファイルが混合して送信されてくる場合にのみ、複数のプロファイルについてスキャンすることになるので、複数のプロファイルをスキャンする機会を最小とすることができ、無条件に全てのプロファイルについてチャンネルスキャンをする処理に比べて、チャンネルスキャンに要する時間を短縮することが可能となる。
【０１２７】
結果として、DVB-T2で規定される放送信号を、効率よく、高速にチャンネルスキャンすることが可能となる。
【０１２８】
［選局処理］
次に、図１２のフローチャートを参照して、選局処理について説明する。尚、この選局処理は、上述したスキャン処理が実行されて、予め受信可能なチャンネルがスキャン結果記憶部２３に登録されていることを前提とした処理となる。また、選局処理が、第３受信モード処理そのものとなる。
【０１２９】
ステップＳ１１１において、ドライバ２２は、図示せぬ操作部が使用者により操作されて指定されたチャンネルを示す情報を取得すると、対応する周波数の情報をスキャン結果記憶部２３より読み出し、チューナ制御部４１を制御して、対応する周波数に設定させる。
【０１３０】
ステップＳ１１２において、ドライバ２２は、指定されたチャンネルに対応するスキャン結果として登録されているプロファイルのいずれかを処理対象プロファイルに設定する。すなわち、例えば、スキャン結果として、DVB-T2-BaseおよびDVB-T2-Liteの両方が登録されていれば、そのいずれかが処理対象プロファイルに設定される。また、DVB-T2-BaseおよびDVB-T2-Liteのいずれかがスキャン結果として登録されている場合については、登録されているプロファイルが処理対象プロファイルに設定される。
【０１３１】
ステップＳ１１３において、BPF１３は、チューナ１２により受信される信号にバンドパスフィルタ処理を施して、所定の周波数帯域のみを抽出し、ADC１４に出力する。
【０１３２】
ステップＳ１１４において、ADC１４は、BPF１３より供給されてくるアナログ信号をデジタル信号に変換して、直交復調部１５に供給する。
【０１３３】
ステップＳ１１５において、直交復調部１５は、デジタル信号に変換された信号に直交復調を施してP1検出部１６、および送出部１７に出力する。
【０１３４】
ステップＳ１１６において、P1検出部１６は、供給されてくる信号として、DVB-T2のフレームにおけるヘッダとなるP1が検出されたか否かを判定し、P1ではない、すなわち、P1が検出されていないとみなされた場合、処理は、ステップＳ１１３に戻る。すなわち、ヘッダであるP1が供給されてくるまで、ステップＳ１１３乃至Ｓ１１６の処理が繰り返される。ステップＳ１１６において、例えば、P1が検出された場合、処理は、ステップＳ１１７に進む。
【０１３５】
ステップＳ１１７において、P1検出部１６は、検出されたP1をP1解釈部２１に供給する。P1解釈部２１は、供給されてきたP1の情報を解釈し、解釈結果であるS1およびS2を含む情報をドライバ２２に供給する。ドライバ２２は、P1の解釈結果が供給されてくることにより、P1が検出されたことを認識すると共に、P1検出部１６に対して処理対象プロファイルの信号のみを、OFDM復調部１８に供給するように指令を送る。この指令に応じて、P1検出部１６は、送出部１７を制御して、P1以降に供給されてくる信号をOFDM復調部１８に送出させる。これにより、OFDM復調部１８は、順次送出部１７より供給されてくる信号を復調して誤り訂正復号部１９に供給する。
【０１３６】
ステップＳ１１８において、誤り訂正復号部１９は、供給されてきた信号に誤り訂正復号処理を施して、波形整形部２０に出力する。
【０１３７】
ステップＳ１１９において、波形整形部２０は、誤り訂正復号部１９より供給されてきた信号をTSとして出力すると共に、ドライバ２２に供給し、フィードバックを掛ける。
【０１３８】
ステップＳ１２０において、ドライバ２２は、TSロック確認部４３を制御して、フィードバックされたTSが正しく復号されているのか否かを判定し、判定結果からTSロックが掛かった状態となっているか否かを判定する。ステップＳ１２０において、例えば、TSが正しく復号されたものであり、TSロックが掛かっていると見なされた場合、処理は、ステップＳ１２１に進む。
【０１３９】
ステップＳ１２１において、ドライバ２２は、チャンネルが正しく選局されたものと見なし、この状態を維持して受信した信号を出力させ、処理が終了する。
【０１４０】
一方、ステップＳ１２０において、TSロックが掛かった状態ではない、すなわち、TSが正しく復号されたものであるとは認められなかった場合、処理は、ステップＳ１２２に進む。
【０１４１】
ステップＳ１２２において、ドライバ２２は、ステップＳ１１２乃至Ｓ１２０の一連の処理が所定回数繰り返されて、視聴可能なチャンネルが存在しないとみなされた回数が所定回数となっているか否かを判定し、所定回数繰り返されていないとみなした場合、処理はステップＳ１２３に進む。
【０１４２】
ステップＳ１２３において、ドライバ２２は、未処理のプロファイルが存在するか否かを判定し、例えば、未処理のプロファイルが存在する場合、処理は、ステップＳ１２４に進む。未処理のプロファイルとは、スキャン結果記憶部２３に登録されていないプロファイルも含むものである。
【０１４３】
ステップＳ１２４において、ドライバ２２は、未処理のプロファイルのいずれかを処理対象プロファイルに設定し、処理は、ステップＳ１１３に戻る。すなわち、ステップＳ１２０において、TSロックが認められず、かつ、未処理のプロファイルが存在しない状態が所定回数に満たない状態である限り、ステップＳ１１３乃至Ｓ１２４の処理が繰り返される。
【０１４４】
さらに、ステップＳ１２３において、未処理のプロファイルが存在しないと見なされた場合、処理は、ステップＳ１１２に戻る。すなわち、処理が最初からやり直しされる状態となり、所定回数が繰り返されたとみなされるまで、ステップＳ１１２乃至Ｓ１２４の処理が繰り返される。
【０１４５】
そして、ステップＳ１２０において、TSロックが確認された場合については、処理がステップＳ１２１に進み、選局処理が終了する。
【０１４６】
一方、ステップＳ１２２において、所定回数だけ繰り返されたと判定された場合、指定されたチャンネルの受信ができない状態であるものとみなされて、処理が終了する。
【０１４７】
以上の処理により、選局処理を簡素化することが可能となる。また、TSロックが確認できない場合には、別のプロファイルで受信できるか否かについても確認するようにしているので、一旦、チャンネルスキャン処理がなされた後に、同一周波数帯域でプロファイルの変更が生じた場合にでも、選局することが可能となる。
【０１４８】
また、選局処理については、図１２のフローチャートを参照して説明した第３受信モード処理のように、TSロックが確認できない状態が所定回数繰り返されるまで、プロファイルを切り替えながら、受信可能なチャンネルを選局するといった処理が必ずしも必要でない場合もある。このような場合は、例えば、図１１のフローチャートを参照して説明した第２受信モード処理により選局するようにしてもよい。ただし、選局処理の場合、図１１におけるステップＳ９１の処理に代えて、図示せぬ操作部より供給されるチャンネルを指定する情報に基づいて、スキャン結果記憶部２３に登録されている周波数にチューナ１２が設定され、登録されているプロファイルが処理対象プロファイルとして設定される処理となる。また、ステップＳ１００の処理は、TSロックが確認された信号が、選局結果として出力される処理となる。
【０１４９】
すなわち、第２受信モード処理においては、単純にスキャン結果記憶部２３に登録されているプロファイルで受信した信号に基づいて、TSロックが確認できたときにだけ選局結果として信号を出力するだけのものとなる。しかしながら、選局処理そのものは、簡素化することが可能となる。
【０１５０】
以上の如く、本技術によれば、DVB-T2で規定される複数のプロファイルを含む放送信号のチャンネルスキャン処理、およびチャンネルスキャン後のチャンネルの選局処理を、簡素化し、かつ、効率よく、高速で実現させることが可能となる。
【０１５１】
ところで、上述した一連の処理は、ハードウェアにより実行させることもできるが、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、記録媒体からインストールされる。
【０１５２】
図１３は、汎用のパーソナルコンピュータの構成例を示している。このパーソナルコンピュータは、CPU(Central Processing Unit)１００１を内蔵している。CPU１００１にはバス１００４を介して、入出力インタ-フェイス１００５が接続されている。バス１００４には、ROM(Read Only Memory)１００２およびRAM(Random Access Memory)１００３が接続されている。
【０１５３】
入出力インタ-フェイス１００５には、ユーザが操作コマンドを入力するキーボード、マウスなどの入力デバイスよりなる入力部１００６、処理操作画面や処理結果の画像を表示デバイスに出力する出力部１００７、プログラムや各種データを格納するハードディスクドライブなどよりなる記憶部１００８、LAN（Local Area Network）アダプタなどよりなり、インターネットに代表されるネットワークを介した通信処理を実行する通信部１００９が接続されている。また、磁気ディスク（フレキシブルディスクを含む）、光ディスク（CD-ROM(Compact Disc-Read Only Memory)、DVD(Digital Versatile Disc)を含む）、光磁気ディスク（ＭＤ(Mini Disc)を含む）、もしくは半導体メモリなどのリムーバブルメディア１０１１に対してデータを読み書きするドライブ１０１０が接続されている。
【０１５４】
CPU１００１は、ROM１００２に記憶されているプログラム、または磁気ディスク、光ディスク、光磁気ディスク、もしくは半導体メモリ等のリムーバブルメディア１０１１から読み出されて記憶部１００８にインストールされ、記憶部１００８からRAM１００３にロードされたプログラムに従って各種の処理を実行する。RAM１００３にはまた、CPU１００１が各種の処理を実行する上において必要なデータなども適宜記憶される。
【０１５５】
以上のように構成されるコンピュータでは、CPU１００１が、例えば、記憶部１００８に記憶されているプログラムを、入出力インタフェース１００５及びバス１００４を介して、RAM１００３にロードして実行することにより、上述した一連の処理が行われる。
【０１５６】
コンピュータ（CPU１００１）が実行するプログラムは、例えば、パッケージメディア等としてのリムーバブルメディア１０１１に記録して提供することができる。また、プログラムは、ローカルエリアネットワーク、インターネット、デジタル衛星放送といった、有線または無線の伝送媒体を介して提供することができる。
【０１５７】
コンピュータでは、プログラムは、リムーバブルメディア１０１１をドライブ１０１０に装着することにより、入出力インタフェース１００５を介して、記憶部１００８にインストールすることができる。また、プログラムは、有線または無線の伝送媒体を介して、通信部１００９で受信し、記憶部１００８にインストールすることができる。その他、プログラムは、ROM１００２や記憶部１００８に、あらかじめインストールしておくことができる。
【０１５８】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０１５９】
また、本明細書において、システムとは、複数の構成要素（装置、モジュール（部品）等）の集合を意味し、すべての構成要素が同一筐体中にあるか否かは問わない。したがって、別個の筐体に収納され、ネットワークを介して接続されている複数の装置、及び、１つの筐体の中に複数のモジュールが収納されている１つの装置は、いずれも、システムである。
【０１６０】
なお、本技術の実施の形態は、上述した実施の形態に限定されるものではなく、本技術の要旨を逸脱しない範囲において種々の変更が可能である。
【０１６１】
例えば、本技術は、１つの機能をネットワークを介して複数の装置で分担、共同して処理するクラウドコンピューティングの構成をとることができる。
【０１６２】
また、上述のフローチャートで説明した各ステップは、１つの装置で実行する他、複数の装置で分担して実行することができる。
【０１６３】
さらに、１つのステップに複数の処理が含まれる場合には、その１つのステップに含まれる複数の処理は、１つの装置で実行する他、複数の装置で分担して実行することができる。
【０１６４】
尚、本技術は、以下のような構成も取ることができる。
（１）  複数の異なるプロファイルを含む可能性のあるDVB-T2規格に準拠した信号を受信し、受信した信号のうち、最初に受信したプロファイルの信号、または、所定のプロファイルの信号のみを復調する
受信装置。
（２）  複数の異なるプロファイルの種別の信号を含む可能性のあるDVB-T2規格に準拠した信号を受信する受信部と、
前記受信部により受信された信号を復調する復調部と、
前記受信部により受信された信号のうち、最初に受信されたプロファイルの種別の信号のみを前記復調部に供給する信号制御部と
を含む受信装置。
（３）  前記信号は、自らを構成するプロファイルの種別を示すプロファイル情報を含み、
前記受信部により受信された信号を構成するプロファイルの種別を示すプロファイル情報を認識するプロファイル情報認識部をさらに含み、
前記信号制御部は、前記プロファイル情報に基づいて、前記プロファイル情報認識部により最初に認識されたプロファイルの信号のみを、最初に受信されたプロファイルの信号として復調部に供給する
（２）に記載の受信装置。
（４）  前記プロファイルの種別は、T2-Base、およびT2-Liteを含む
（２）または（３）に記載の受信装置。
（５）  前記復調部により復調された信号が正しく復調されたとき、前記信号のプロファイルの種別を登録する登録部をさらに含み、
前記信号制御部は、受信する信号の周波数毎に、受信した信号のうち、最初に受信したプロファイルの信号のみを復調部に供給し、
前記登録部は、前記復調部により信号が正しく復調されたプロファイルの種別を、前記周波数毎に登録する
（２）乃至（４）のいずれかに記載の受信装置。
（６）  前記信号制御部は、前記登録部により前記プロファイルの種別が登録された後、受信する信号の周波数毎に、受信した信号のうち、最初に受信したプロファイルの種別とは異なるプロファイルの信号のみを前記復調部に供給する
（５）に記載の受信装置。
（７）  前記信号は、１種類のみのプロファイルの種別の信号から構成されるものであるか、または、２種類以上のプロファイルの種別の信号が混合して構成されるものであるかを示す混合信号を含み、
前記混合信号に基づいて、前記信号が１種類のみのプロファイルの種別の信号から構成されるものであるか、または、２種類以上のプロファイルの種別の信号が混合して構成されるものであるかを認識する混合認識部をさらに含み、
前記信号制御部は、前記登録部により前記プロファイルが登録された後、前記混合信号に基づいて、前記混合認識部により前記信号が２種類以上のプロファイルの種別の信号が混合して構成されているものであると認識されたとき、受信する信号の周波数毎に、受信した信号のうち、最初に受信したプロファイルとは異なるプロファイルの種別の信号のみを前記復調部に供給する
（６）に記載の受信装置。
（８）  前記登録部に登録された周波数毎のプロファイルの情報のうち、所定の周波数における所定のプロファイルの種別の信号が、前記プロファイル情報認識部により認識されない状態が所定回数継続した場合、前記信号制御部は、前記所定のプロファイルとは異なるプロファイルの信号のみを復調部に供給し、その後、前記プロファイル情報認識部により認識されない状態が所定回数継続したとき、さらに異なるプロファイルの信号のみを復調部に供給する
（５）に記載の受信装置。
（９）  複数の異なるプロファイルの種別の信号を含む可能性のあるDVB-T2規格に準拠した信号を受信する受信処理と、
前記受信処理により受信された信号を復調する復調処理と、
前記受信処理により受信された信号のうち、最初に受信されたプロファイルの種別の信号のみを前記復調処理するようにさせる信号制御処理と
をするステップを含む受信方法。
（１０）  複数の異なるプロファイルの種別の信号を含む可能性のあるDVB-T2規格に準拠した信号を受信する受信ステップと、
前記受信ステップの処理により受信された信号を復調する復調ステップと、
前記受信ステップの処理により受信された信号のうち、最初に受信されたプロファイルの種別の信号のみを前記復調ステップの処理させるようにする信号制御ステップと
を含む処理をコンピュータに実行させるためのプログラム。
【符号の説明】
【０１６５】
１１  アンテナ，  １２  チューナ，  １３  BPF，  １４  ADC，  １５  直行復調部，  １６  P1検出部，  １７  送出部，  １８  OFDM復調部，  １９  誤り訂正復号部，  ２０  波形整形部，  ２１  P1解釈部，  ２２  ドライバ，  ２３  転送トランジスタ，  ４１  チューナ制御部，  ４２  プロファイル切替部，  ４３  TSロック確認部，  ４４  S1認識部，  ５１  S2認識部，  ５２  受信モード切替部
【図１】
0005772724.tif 000002
【図２】
0005772724.tif 000003
【図３】
0005772724.tif 000004
【図４】
0005772724.tif 000005
【図５】
0005772724.tif 000006
【図６】
0005772724.tif 000007
【図７】
0005772724.tif 000008
【図８】
0005772724.tif 000009
【図９】
0005772724.tif 000010
【図１０】
0005772724.tif 000011
【図１１】
0005772724.tif 000012
【図１２】
0005772724.tif 000013
【図１３】
0005772724.tif 000014